(57)【要約】【目的】  この発明はＬ形コーナー部材を角筒形ダクトのとも板フランジ間に押し嵌付けし、さらにその抜け外れ防止を強化するエアーファスナーを新規に提供することを目的とするものである。【構成】  本発明は手持ち可能な本体の前部に開閉作動する側面視Ｌ字形をした押込み板と受止め板とを向き合わせ形成して角筒形ダクトのとも板フランジ間にＬ形コーナー部材を押し嵌付けするためのエアーファスナーにおいて、該押込み板の基部内面に前記とも板フランジの外折端部縁の内折り用のＶ形押し部材または間隔を置いた複数の押し爪を設け、該Ｖ形押し部材などにより内折りした外折端部縁にて嵌付けしたＬ形コーナー部材の外側端部を押え止めてＬ形コーナー部材の抜け外れ防止するようにしたことを特徴とするエアーファスナーにある。【選択図】図６
2007210002.tif 000002
【特許請求の範囲】
【請求項１】
手持ち可能な本体の前部に開閉作動する側面視Ｌ字形をした押込み板と受止め板とを向き合わせ形成して角筒形ダクトのとも板フランジ間にＬ形コーナー部材を押し嵌付けするためのエアーファスナーにおいて、該押込み板の基部内面に前記とも板フランジの外折端部縁の内折り用のＶ形押し部材を設け、該Ｖ形押し部材により内折りした外折端部縁にてコーナー部分に嵌付けたＬ形コーナー部材の外側端部を押え止めてＬ形コーナー部材の抜け外れを防止するようにしたことを特徴とするエアーファスナー。
【請求項２】
Ｖ形押し部材にかえて下向き折曲げした押し爪を間隔を置いて設けた請求項１に記載のエアーファスナー。
【発明の詳細な説明】
【技術分野】
【０００１】
この発明はとも板フランジにＬ形コーナー部材を取付けるためのエアーファスナーに関するものである。
【背景技術】
【０００２】
この種のエアーファスナーとしては登録第３０５５３２５号実用新案がある。該公報はＬ形コーナー部材を押し嵌込みするための押込み板の基部内面に外側突起部材を設けて、とも板フランジの外折端部の上面を点押ししてＬ形コーナー部材の掛止を強化することを記載している。
【特許文献１】実用新案登録第３０５５３２５号
【発明の開示】
【発明が解決しようとする課題】
【０００３】
しかしながら、上記公報の外側突起部材はとも板フランジの外折端部の上面を点押して内側にわずかに凹ませるにとどまるため、Ｌ形コーナー部材の掛止が安定せず、歪み，衝撃等によってＬ形コーナー部材が抜け外れてしまうという課題があった。
【課題を解決するための手段】
【０００４】
本発明は手持ち可能な本体の前部に開閉作動する側面視Ｌ字形をした押込み板と受止め板とを向き合わせ形成して角筒形ダクトのとも板フランジ間にＬ形コーナー部材を押し嵌付けするためのエアーファスナーにおいて、該押込み板の基部内面に前記とも板フランジの外折端部縁の内折り用のＶ形押し部材を設け、該Ｖ形押し部材により内折りした外折端部縁にてコーナー部分に嵌付けたＬ形コーナー部材の外側端部を押え止めてＬ形コーナー部材の抜け外れを防止するようにして、かかる課題を解決したのである。
【発明の効果】
【０００５】
本発明は以上のようにして、エアーファスナーの受止め板の基部内面にとも板フランジの外折端部縁の内折り用のＶ形押し部材または間隔を置いた下向きの押し爪を設けて、嵌付けしたＬ形コーナー部材の外側端部を内折りした外折端部縁にて抱えるように押え止めるようにしたので、とも板フランジダクトに歪み，衝撃等による変形が生じても、Ｌ形コーナー部材の抜け外れることを確実に防止することができるという効果を生ずる。
【発明を実施するための最良の形態】
【０００６】
本発明は、手持ち可能な本体の前部に開閉作動する側面視Ｌ字形をした押込み板と受止め板とを向き合わせ形成して角筒形ダクトのとも板フランジ間にＬ形コーナー部材を押し嵌付けするためのエアーファスナーにおいて、該押込み板の基部内面に前記とも板フランジの外折端部縁の内折り用のＶ形押し部材を設け、該Ｖ形押し部材により内折りした外折端部縁にてコーナー部分に嵌付けたＬ形コーナー部材の外側端部を押え止めてＬ形コーナー部材の抜け外れを防止するようにしたのである。
【実施例１】
【０００７】
図１に示すように手持ち可能の大きさにて形成する本体１の前部支点２より上下方向に向き合い開閉する側面視Ｌ字形に曲折した押込み板３と前出する受止め板４を突き出し形成し、押込み板３の基部内面に押込み板３と平行し且つ中間に間隔を置いて下向きに折曲げた押し爪５ａ，５ｂを設ける。
【０００８】
押込み板３と受止め板４は図２に示すように前部支点２を挟んで本体１内の二股部材６ａ，６ｂに一体にて続いており、二股部材６ａ，６ｂは支点２より漸次上下方向に拡開して、拡開端を前後進するワニ口金物７の開口端内に嵌合している。８はワニ口金物７を前進させるための高圧エアーの流通路、９，１０は戻し用のばね、１１はエアー流通路８の中間に設けた開閉子で本体１の上側に表出した１１ａを取付点１２にバネ１３張り取付けした操作レバー１４にて押して通路８を開き、押しを解くと戻って通路８を閉じるようにしている。１５は流体圧通路８の後端筒口８ａに取付け金具およびコック１６にて着脱自在に接続する圧力エアーの供給ホースで、図示してないがエアコンプレッサーに接続している。
【０００９】
図３はＬ形コーナー部材１８と角筒形ダクト１９のコーナー部分を示す斜視図である。Ｌ形コーナー部材１８をコーナー部分に取付ける際は、先づ図４（ａ）に示すように、エアーファスナーの受止め板４を下に向けて押込み板３をＬ形コーナー部材１８の内側部分に当てて操作レバー１４を押すと、図４（ｂ）に示すように押込み板３を受止め板４方向に閉じ締めてＬ形コーナー部材１８の内側部分１８ａを角筒形ダクト１９に設けた突条１９ａを乗り越えて突条１９ａの内側に押し嵌付けし、同時にＬ形コーナー部材１８の外側部分１８ｂをとも板フランジ１７の折曲外端１７ａの内側に嵌付けすることとなる（図５）。
【００１０】
次いで操作レバー１４の押しを止めて押込み板３をばね圧により戻し後退させ、受止め板４の背面当てを解いて図６（ａ）（ｂ）に示すように受止め板４をダクト１９の開口端より内側に入れて再び締め作動すると、押込み板３の基部内面の押し爪５ａ，５ｂはとも板フランジ１７の折曲外端１７ａの縁を間隔を置いて内折りし、内折りした折曲外端てＬ形コーナー部材１８の外側部分１８ｂを抱くようにして強固に押え止め２０するのである。押え止め２０は図７に示すようにＬ形コーナー部材１８の各片上の数カ所を押し曲げすることによって押えの安定度を向上するのである。
【実施例２】
【００１１】
図８は押し爪５ａ，５ｂにかえて幅広で側面視Ｖ形をしたＶ形押し部材５ｃを設けた実施例を示すもので、図９に示すようにＬ形コーナー部材１８の各片上の内外２カ所づつの折曲外端１７ａを面押して押え止め２０を強化するようにしたほかは前例に同じである。
【産業上の利用可能性】
【００１２】
本発明はＬ形コーナー部材を嵌め取付けするとも板フランジダクトのすべてに利用することができるものである。
【図面の簡単な説明】
【００１３】
【図１】エアーファスナーの斜視図
【図２】同、縦断断面図
【図３】Ｌ形コーナー部材と角筒形ダクトのコーナー部分を示す斜視図
【図４】（ａ）（ｂ）はＬ形コーナー部材を押し嵌付けする状態を示す拡大図
【図５】コーナー部材を嵌付けた状態の斜視図
【図６】（ａ）（ｂ）はとも板フランジの折曲外端を内折りしてコーナー部材を押え止めする状態を示す拡大図
【図７】同、コーナー部分の斜視図
【図８】第２実施例のＶ形押し部材を示す斜視図
【図９】Ｖ形押し部材にてとも板フランジの折曲外端縁を内折りした例を示す斜視図
【符号の説明】
【００１４】
１は本体
２は前部支点
３は押込み板
４は受止め板
５ａ，５ｂは押し爪
５ｃはＶ形押し部材
６ａ，６ｂは二股部材
７はワニ口金物
８は流体圧通路
８ａは後端筒口
９，１０は戻し用のばね
１１は開閉子
１２は取付点
１３はばね
１４は操作レバー
１５は流体供給ホース
１６は取付金具およびコック
１７はとも板フランジ
１７ａは折曲外端
１８はＬ形コーナー部材
１８ａは内側部分
１８ｂは外側部分
１９は角筒形ダクト
１９ａは突条
２０は押え止め部
【図１】
2007210002.tif 000003
【図２】
2007210002.tif 000004
【図３】
2007210002.tif 000005
【図４】
2007210002.tif 000006
【図５】
2007210002.tif 000007
【図６】
2007210002.tif 000008
【図７】
2007210002.tif 000009
【図８】
2007210002.tif 000010
【図９】
2007210002.tif 000011
【手続補正書】
【提出日】平成18年4月14日(2006.4.14)
【手続補正１】
【補正対象書類名】明細書
【補正対象項目名】００１１
【補正方法】変更
【補正の内容】
【００１１】
図８は押し爪５ａ，５ｂにかえて幅広で側面視Ｖ形をしたＶ形押し部材５ｃを設けた実施例を示すもので、図９に示すようにＬ形コーナー部材１８の各片上の折曲外端１７ａを面押しして押え止め２０を強化するようにしたほかは前例に同じである。
【手続補正２】
【補正対象書類名】図面
【補正対象項目名】図９
【補正方法】変更
【補正の内容】
【図９】
2007210002.tif 000012